(57)【要約】  【課題】  付勢により狭持部を開口させておくタイプのプライヤーにおいて、付勢力を劣化させることなく不使用時においては先端側を閉じた状態にする。  【解決手段】  先部に狭持部５ａが形成され、長孔８を有する第１のステー２ａと、先部に狭持部５ｂが形成され、長孔８に遊嵌した状態に構成された枢結軸３ｃによって第１のステー２ａと枢結した第２のステー２ｂと、前記長孔８内を移動し、前記枢結軸３ｃに枢着されたスライダ６を有する口開き調整が可能なプライヤー１において、前記スライダ６は、前記長孔８内での固定時において、前記第２のステー２ｂの狭持部５ｂが開口するように付勢されて前記枢結軸３ｃに枢着され、前記長孔８は、前記スライダ６の前記長孔８内における固定時よりも大きい傾斜を許容する傾斜許容部１０を有している。【選択図】  図３
2015093357.tif 000002
【特許請求の範囲】
【請求項１】
把手先部に狭持部が形成され、長孔を有する第１のステーと、
把手先部に狭持部が形成され、前記長孔に遊嵌した状態に構成された枢結軸によって前記第１のステーと交差した状態に枢結した第２のステーと、
特定の位置に固定可能に前記長孔内を移動し、前記枢結軸に枢着されたスライダを有し、
前記長孔内における前記スライダの固定位置を変更させることで前記第１及び第２のステーの口開き調整が可能なプライヤーにおいて、
前記スライダは、前記長孔内での固定時において、前記第２のステーの狭持部が開口するように付勢されて前記枢結軸に枢着され、
前記長孔は、前記スライダの前記長孔内における固定時よりも大きい傾斜を許容する傾斜許容部を有していることを特徴とする、プライヤー。
【請求項２】
前記傾斜許容部は、前記長孔の幅寸法が広い幅広部として構成されていることを特徴とする、請求項１に記載のプライヤー
【請求項３】
前記傾斜許容部は、前記長孔の端部に設けられていることを特徴とする、請求項１又は２に記載のプライヤー。
【請求項４】
前記長孔は、周縁に係止用凹部が形成されており、
前記スライダは、前記枢結軸周りに回転傾斜することで角部が前記係止用凹部に係合することで、前記長孔内の位置が固定されることを特徴とする、請求項１から３のいずれか１つに記載のプライヤー。
【請求項５】
前記第１及び第２のステーは、狭持部が嘴状になるように先端部分が屈曲して構成され、前記係止用凹部は、前記長孔の前記狭持部側の側壁に沿って設けられていることを特徴とする、請求項４に記載のプライヤー。
【請求項６】
前記幅広部は、前記狭持部の口開き幅が大きくなる側の端部の前記係止用凹部が設けられている側の側壁が凹状に形成されることで構成されていることを特徴とする、請求項５に記載のプライヤー。
【請求項７】
前記幅広部は、前記狭持部の口開きが小さくなる側の端部の前記係止用凹部が設けられていない側の側壁が凹状に形成されることで構成されていることを特徴とする、請求項５に記載のプライヤー。
【請求項８】
前記第２のステーは、前記枢結軸を中心とする弧状のリブが設けられ、
前記第１のステーは、前記リブと対応し、前記長孔の延伸方向に並列して形成された複数の凹溝を備え、
前記スライダの移動により、前記リブと対応する凹溝を変更することによって、前記長孔内における前記スライダの固定位置を変更させることを特徴とする、請求項１から３のいずれか１つに記載のプライヤー。
【請求項９】
把手先部に狭持部が形成された第１のステー及び第２のステーを交差した状態で、前記各ステーの枢結穴に通した枢結軸によって枢結したプライヤーであって、
前記第２のステーに対して狭持部を開口させる側に付勢されると共に前記第１のステーの枢結穴に挿入される、前記枢結軸に設けられたスライダと、
前記第１のステーの枢結穴に設けられ、前記スライダの前記枢結穴内における角度を変更可能に構成された傾斜許容手段を有していることを特徴とする、プライヤー。
【発明の詳細な説明】
【技術分野】
【０００１】
本発明は、通常使用時において先端側が開口するように付勢された構成を有するプライヤーに関する。
【背景技術】
【０００２】
プライヤーやはさみなどの一組のステーを交差するように配置し、両者を枢結して先端側を開閉するように使用する工具においては、バネ等の付勢手段を設けて、通常時において先端側が開放するように構成することが広く行われている。
【０００３】
しかし、常時先端側が開放した状態となっていることは、取り扱い上の危険性や収納スペースなどの問題から不使用時においては先端側を閉じた状態に固定することができるようなロック機構を有するものが存在する。このロック機構の例としては、例えば、先端側を閉じた状態にしたまま、双方の把手間を連結するようなフックなどの連結手段等が挙げられる。
【０００４】
ところで、特許文献１（実開昭６２−７８２６９号公報）や特許文献２（実開昭６２−７８２６８号公報）は、通常時において先端側が開放するように構成されたウォーターポンププライヤーが開示されている。これらの特許文献１及び特許文献２のプライヤーは、先端側に設けられている狭持部を常時開口することができるように、リング状のバネを付したものであるが、不使用時などにおいても狭持部が開口しており、ステーの反対側に設けられている把手が開いた状態となっていた。この状態では、工具箱の中で把手が開いた状態で、上記のようにスペース上の問題があった。
【先行技術文献】
【特許文献】
【０００５】
【特許文献１】実開昭６２−７８２６９号公報
【特許文献１】実開昭６２−７８２６８号公報
【発明の概要】
【発明が解決しようとする課題】
【０００６】
しかし、特許文献１及び特許文献２に開示されている、バネによる付勢により狭持部を開口させておくタイプのプライヤーに先端側を閉じた状態に固定することができるようなロック機構を設けることも可能である。しかし、付勢力付与のために用いられているバネはごく小さなものであり、長時間にわたる不使用時に緊張した状態を続けることで弾性力が劣化するという問題が生じるおそれがあった。
【０００７】
また、特許文献１においては、先端側の口開き幅を変更することができるように構成されプライヤーが開示されているが、このタイプのプライヤーにおいても先端側を開放した状態にしておくことが使用上便利である一方、不使用時にバネの弾性力を劣化させることなく先端側を閉じた状態に固定することは困難であった。
【０００８】
したがって、本発明が解決しようとする技術的課題は、付勢により先端側を開口させておくタイプのプライヤーにおいて、付勢力を劣化させることなく不使用時においては先端側を閉じた状態にすることができるプライヤーを提供することである。
【課題を解決するための手段】
【０００９】
本発明は、上記技術的課題を解決するために、以下の構成のプライヤーを提供する。
【００１０】
本発明は、把手先部に狭持部が形成された第１のステー及び第２のステーを交差した状態で、前記各ステーの枢結穴に通した枢結軸によって枢結したプライヤーであって、
前記第２のステーに対して狭持部を開口させる側に付勢されると共に前記第１のステーの枢結穴に挿入される、前記枢結軸に設けられたスライダと、
前記第１のステーの枢結穴は、前記スライダの前記枢結穴内における角度を変更可能に構成された傾斜許容手段を有していることを特徴とする、プライヤーを基本的態様とするものである。
【００１１】
本発明の第１態様によれば、把手先部に狭持部が形成され、長孔を有する第１のステーと、
把手先部に狭持部が形成され、前記長孔に遊嵌した状態に構成された枢結軸によって前記第１のステーと交差した状態に枢結した第２のステーと、
特定の位置に固定可能に前記長孔内を移動し、前記枢結軸に枢着されたスライダを有し、
前記長孔内における前記スライダの固定位置を変更させることで前記第１及び第２のステーの口開き調整が可能なプライヤーにおいて、
前記スライダは、前記長孔内での固定時において、前記第２のステーの狭持部が開口するように付勢されて前記枢結軸に枢着され、
前記長孔は、前記スライダの前記長孔内における固定時よりも大きい傾斜を許容する傾斜許容部を有していることを特徴とする、プライヤーを提供する。
【００１２】
本発明の第２態様によれば、前記傾斜許容部は、前記長孔の幅寸法が広い幅広部として構成されていることを特徴とする、第１態様のプライヤーを提供する。
【００１３】
本発明の第３態様によれば前記傾斜許容部は、前記長孔の端部に設けられていることを特徴とする、第１又は第２態様のプライヤーを提供する。
【００１４】
本発明の第４態様によれば、前記長孔は、周縁に係止用凹部が形成されており、
前記スライダは、前記枢結軸周りに回転傾斜することで角部が前記係止用凹部に係合することで、前記長孔内の位置が固定されることを特徴とする、第１から第３態様のいずれか１つのプライヤーを提供する。
【００１５】
本発明の第５態様によれば、前記第１及び第２のステーは、狭持部が嘴状になるように先端部分が屈曲して構成され、前記係止用凹部は、前記長孔の前記狭持部側の側壁に沿って設けられていることを特徴とする、第４態様のプライヤーを提供する。
【００１６】
本発明の第６態様によれば、前記幅広部は、前記狭持部の口開き幅が大きくなる側の端部の前記係止用凹部が設けられている側の側壁が凹状に形成されることで構成されていることを特徴とする、第５態様のプライヤーを提供する。
【００１７】
本発明の第７態様によれば、前記幅広部は、前記狭持部の口開きが小さくなる側の端部の前記係止用凹部が設けられていない側の側壁が凹状に形成されることで構成されていることを特徴とする、第５態様のプライヤーを提供する。
【００１８】
本発明の第８態様によれば、前記第２のステーは、前記枢結軸を中心とする弧状のリブが設けられ、
前記第１のステーは、前記リブと対応し、前記長孔の延伸方向に並列して形成された複数の凹溝を備え、
前記スライダの移動により、前記リブと対応する前記凹溝を変更することによって、前記長孔内における前記スライダの固定位置を変更させることを特徴とする、第１から第３態様のいずれか１つのプライヤーを提供する。
【発明の効果】
【００１９】
本発明によれば、第１のステーの枢結穴に挿入されているスライダの角度を変更するように構成することにより、スライダと第２ステーとの位置関係を変更することなく第２のステーの狭持部を閉じた状態とすることができる。したがって、スライダの付勢力を劣化させることがない。またこの手段によれば、先端側の口開き幅を変更することができるタイプのプライヤーにも適用することが可能である。
【００２０】
本発明の第１態様によれば、第１のステーに設けられている長孔に沿って移動可能なスライダに対して開口するように付勢されている第２のステーは、通常時は開口状態とすることができる。一方で、スライダの傾斜を許容する傾斜許容部が長孔に設けられているため、当該位置にスライダを移動させることで、通常時の第２のステーとスライダとの位置関係を維持したまま、前記傾斜許容部内でスライダが傾斜することにより、第２のステーの開口分を吸収することができる。したがって、スライダを傾斜許容部内に移動させることで前記第１及び第２のステーを閉じた状態に維持することができる。
【００２１】
したがって、先端側の口開き幅の変更と不使用時における先端側を閉じた状態にすることを両立することができる。
【００２２】
なお、上記構成において、スライダの傾斜を許容する傾斜許容部としては、長孔の幅寸法を大きくする幅広部を設けることで容易に実現可能である。さらに、傾斜許容部を長孔の端部に配置することにより、最大又は最小の開口位置でステーを閉じた状態に維持することができることから、使用時における先端側の開口調整位置に影響を与えることなく、使用上便利である。
【図面の簡単な説明】
【００２３】
【図１】本発明の第１実施形態にかかるウォーターポンププライヤーの外観構成を示す斜視図である。
【図２】図１のウォーターポンププライヤーの狭持部の口開き幅を最大にした状態を示す斜視図である。
【図３】図１のウォーターポンププライヤーの組立て分解斜視図である。
【図４】図１のウォーターポンププライヤーの固定状態における狭持部の開口状態を示す図である。
【図５】図１のウォーターポンププライヤーの口開き幅を広げる状態の説明図である。
【図６】図１のウォーターポンププライヤーのスライダが幅広部に存在するときの状態を示す説明図である。
【図７】図１の変形例にかかるウォーターポンププライヤーのスライダが幅広部に存在するときの状態を示す説明図である。
【図８】図１のさらなる変形例にかかるウォーターポンププライヤーのスライダが幅広部に存在するときの状態を示す説明図である。
【図９】本発明の第２実施形態にかかるウォーターポンププライヤーの組立て分解斜視図である。
【図１０】図９のウォーターポンププライヤーの使用時におけるスライダと長孔の関係を示す図である。
【図１１】図９のウォーターポンププライヤーのスライダが幅広部に存在するときの状態を示す説明図である。
【図１２】図９の変形例にかかるウォーターポンププライヤーのスライダが幅広部に存在するときの状態を示す説明図である。
【発明を実施するための形態】
【００２４】
以下、本発明の各実施形態に係るプライヤーについて、図面を参照しながら説明する。
【００２５】
（第１実施形態）
図１は、本発明の第１実施形態にかかるウォーターポンププライヤーの外観構成を示す斜視図である。図２は図１のウォーターポンププライヤーの狭持部の口開き幅を最大にした状態を示す斜視図である。図３は、図１のウォーターポンププライヤーの組立て分解斜視図である。
【００２６】
本実施形態にかかるウォーターポンププライヤー１は、左右一対に構成された第１ステー２ａと第２ステー２ｂを中間部分で枢着し、開閉自在に構成したものであり、いわゆるギザ穴溝型のウォーターポンププライヤーである。
【００２７】
第１ステー２ａと第２ステー２ｂは棒状の金属で構成されており、その端部にはそれぞれ把手４ａ，４ｂと挟持部５ａ，５ｂが設けられている。
【００２８】
把手４は、ステー２ａと一体又は別部材で構成することができる。また、把手４には、滑り止め等の理由により、ゴムや樹脂などで被覆して滑り止めを設けてもよい。また、把手４ａ，４ｂの先端には、例えば、ドライバーやへらなどの他の道具が一体的に設けられていてもよい。
【００２９】
挟持部５ａ，５ｂは、ステー２ａ，２ｂの先端側に設けられており、ウォーターポンププライヤーの長手方向に対して略直角に曲げられて嘴状に構成されている。挟持部５ａ，５ｂの対向面は水道管などの被挟持物を挟む挟持面５ｃとなっている。狭持部５ａ，５ｂは、ステー２ａ，２ｂの他の部分よりも厚みを持って構成されており、後述するように当該段差７ａ，７ｂにより、狭持部５ａ，５ｂの開口側の程度を規制するようになっている。
【００３０】
第１ステー２ａには、枢着部３が挿通する長孔８が設けられている。長孔８は、ステーの狭持部５ａ，５ｂの開口幅を変更するためのものであり、狭持部５ａ，５ｂの挟持面５ｃに対して略直角方向に伸びている。
【００３１】
左右一対のステー２ａ，２ｂを枢着する枢着部３は、第１ステー２ａと第２ステー２ｂとを上下方向に組み合わせかつ回転自在に枢着したものである。枢着部３は、第１ステー２ａの長孔８と第２ステー２ｂの枢結孔３ｄに挿通する。よって、第２ステー２ｂは、長孔８に沿って移動可能に第１ステー２ａに枢結される。
【００３２】
また、枢着部３には、枢着ボルト３ａとナット３ｂのほかに、スライダ６が設けられている。スライダ６は、図３に示すように、枢結軸に相当する枢着ボルト３ａの足３ｃに挿通され、ボルト３ａに対して枢結軸を中心に回転可能に設けられている。なお、スライダ６は、第２ステー２ｂに対してその傾斜角度は制限されており、回転範囲は規制されている。
【００３３】
スライダ６は、厚み方向に扁平に構成された小片で構成され、その厚み寸法は、第１ステー２ａの厚みとほぼ同じに構成されており、幅寸法は、長孔８の幅よりも若干小さく構成されている。スライダ６の狭持部の口開き幅が大きくなる側、すなわち、把手４ｂに位置する側の一つの角部が突き出した形状となっており、当該部分が係合凸部６ａとなっている。
【００３４】
また、スライダ６と第２ステー２ｂの間には、リング状バネ板１１が配置されており、スライダ６を図３に示すように矢印９０側、すなわち狭持部５ａ，５ｂの開口を狭めようとする方向と反発方向に付勢する。
【００３５】
長孔８は、概ね均等幅に構成されているが、狭持部５ａ，５ｂ側の側周縁に鋸歯状の係止用凹部９が形成されている。係止用凹部９は、スライダ６の係合凸部６ａと係合してスライダ６の長孔８内での位置を固定する。上記のようにスライダ６は、リング状バネ板１１により矢印９０に示すように付勢されているため、ステー２ａ，２ｂの把手４ａ，４ｂを握り、狭持部５ａ，５ｂを閉じようとする方向にステーを回動させると、スライダ６が第２ステー２ｂと供に傾斜して、把手側に設けられている係合凸部６ａが係止用凹部９に係合する。これにより、スライダ６が長孔８内で移動することが防止される。
【００３６】
一方、スライダ６と第２ステー２ｂはリング状バネ板１１により、狭持部５ａ，５ｂを開口させる方向に付勢されているため、把手４ａ，４ｂを把持しない状態であっても、狭持部５ａ，５ｂが開口する方向に維持される。また、上記の通り、スライダ６は、リング状バネ板１１により第２ステー２ｂに対して若干傾斜した状態になっているため、係止用凹部９から容易に脱落することが防止される。
【００３７】
上記のように、枢着部３のスライダ６は、リング状バネ板１１により付勢されて、係合凸部６ａが係止用凹部９に近づく向きに付勢されている。一方で、スライダ６は、第２ステー２ｂに対する傾斜角度の可動範囲が規制されている。このスライダ６の可動範囲は、概ね、スライダの係合凸部６ａが係止用凹部９に係合したときに、狭持部５ａ，５ｂの挟持面５ｃが密着する位置から、狭持部５ａ，５ｂが開口状態となり把手４ａ，４ｂを把持しやすい程度の間隔を実現できる範囲内であることが好ましい。すなわち、スライダ６を所定の位置に固定したときにウォーターポンププライヤーとして一般的な使用が実現可能な範囲内でスライダ６の傾斜角度の可動範囲を設定すればよく、概ね把手４ｂの可動範囲が１０〜４０度程度となるようにすることができる。
【００３８】
長孔８の把手４ａ側の一端部分、すなわち、狭持部５ａ，５ｂの口開き幅が大きくなる側の端部には、前記係止用凹部９が設けられている側の側壁が凹状に形成され、他の部分よりも幅が広く構成された幅広部１０が設けられている。幅広部１０は、本発明における傾斜許容部に相当する。
【００３９】
幅広部１０は、長孔８に収容されるスライダ６が係止用凹部９に係合されている状態よりもスライダが長孔８に対して大きい傾斜を許容することができるようにするためのものである。すなわち、スライダ６が幅広部１０に位置するときは、スライダ６が長孔８の長手方向に対して傾斜した状態となる。したがって、当該幅広部１０にスライダ６が位置するときは、スライダ６の傾きが幅広部１０内で吸収されて、リング状バネ板１１による付勢による第２ステー２ｂが開口状態とならないようにすることができる。
【００４０】
幅広部１０は、長孔８の係止用凹部９が設けられている領域間とのスライダ６の動きをスムーズにするために、弧状をなしていることが好ましく、本実施形態では、図３等に示すように、係止用凹部９よりも深い円弧状の凹部として形成されている。
【００４１】
次に本実施形態にかかるウォーターポンププライヤーが使用状態から不使用状態になり、一対のステー２ａ，２ｂを閉じた状態とするための動作について説明する。
【００４２】
図４は、図１のウォーターポンププライヤーの固定状態における狭持部の開口状態を示す図である。上記のように、ウォーターポンププライヤーの使用時は、スライダ６の係合凸部６ａが係止用凹部９と係合してスライダ６の長孔８内での位置が固定された状態となっている。また、リング状バネ板１１により、スライダ６は、第２ステー２ｂに対して矢印９１に示すように、係合凸部６ａが係止用凹部９に近づくように付勢されているため、その反力として、把手４ａ，４ｂ及び狭持部５ａ，５ｂが矢印９２に示すように、開口状態となっている。この状態で、把手４ａ，４ｂを握った場合、スライダは、矢印９１に示す向き、すなわち係合凸部６ａが係止用凹部９に押圧される向きに力が及ぼされるので、狭持部５ａ，５ｂの開閉動作においてスライダ６が不用意に移動することはない。
【００４３】
図５は、図４に続く状態を示しており、図１のウォーターポンププライヤーの口開き幅を広げる状態の説明図である。この状態では、矢印９３に示すように把手４ａ，４ｂを開放させる方向に移動させる。すると、スライダ６も第２ステー２ｂとともに回転し、係合凸部６ａが係止用凹部９から脱落する。一方で、第２ステー２ｂの狭持部５ｂの段差７ｂによる第１ステー２ａとの干渉により、ステー２ａ，２ｂの開放量は規制される。この状態では、スライダ６の把手側側面６ｂが長孔８の側壁に沿ってガイドされており、矢印９４に示す向きに第２ステー２ｂが移動する。
【００４４】
図５において、口開き幅を大きくしたいときは、図示下側に第２ステー２ｂを移動させ、別の係止用凹部９に係合凸部６ａを係合させる。一方、不使用状態とし、ステー２ａ，２ｂを閉じた状態にしたい場合は、第２ステー２ｂを長孔８の最下位置まで移動させ、スライダ６を幅広部１０に配置させる。
【００４５】
図６は、図１のウォーターポンププライヤーのスライダが幅広部に存在するときの状態を示す説明図である。図６に示す通り、スライダ６が幅広部１０に位置する場合は、スライダ６が係止用凹部９に係合されている状態よりもスライダが長孔８に対して大きい傾斜を取ることができる。したがって、スライダ６が長孔８の長手方向に対して大きく傾斜した状態となる。これにより、スライダと接続する第２ステーは、閉口方向に傾斜することが可能となり、ステー２ａ，２ｂの把手４ａ，４ｂを閉じた状態とすることができる。また、本実施形態における幅広部１０は、長孔の狭持部の開き幅が大きくなる側の端部に設けられているため、ステー２ａ，２ｂの把手４ａ，４ｂが近接する状態となり、不使用時にプライヤーをスリム化することができる。
【００４６】
図７は、本発明の第１実施形態の変形例にかかるウォーターポンププライヤーのスライダが幅広部に存在するときの状態を示す説明図である。図７に示すウォーターポンププライヤー１ａは、長孔８に設けられている幅広部１０ａが、狭持部５ａ，５ｂの口開き幅が最小側となる側の端部に設けられている点において、図１のウォーターポンププライヤー１と相違する。この変形例にかかるにウォーターポンププライヤー１ａおいて、幅広部１０ａは、長孔８ａの係止用凹部９が設けられていない側の周縁が凹状に構成されている。この構成によっても、長孔８ａの図示上端に設けられている幅広部１０ａにスライダ６を移動させたときに、スライダ６が係止用凹部９に係合されている状態よりもスライダが長孔８ａに対して大きい傾斜を取ることができ、不使用時に把手４ａ，４ｂを近接させることができる。
【００４７】
図８は、本発明の第１実施形態のさらなる変形例にかかるウォーターポンププライヤーのスライダが幅広部に存在するときの状態を示す説明図である。図８に示すウォーターポンププライヤー１ａは、長孔８ｂに設けられている幅広部１０ｂが、狭持部５ａ，５ｂの口開き幅が最大側に設けられている点において、図１のウォーターポンププライヤー１と共通する一方、幅広部が長孔８ｂの端部ではなく、係止用凹部９が設けられていない側の周縁中間位置に設けられている点において異なる。本変形例では、スライダ６の係合凸部６ａを長孔８ｂの中心線Ｃに対して大きく退避させるのではなく、係合凸部６ａの体格に位置する角部６ｃを中心線Ｃに対して退避させる構成となる。この構成によっても、ステー２ｂが最大の開口幅となる位置に存在する場合に、スライダ６が幅広部１０ｂに移動し、スライダ６が係止用凹部９に係合されている状態よりもスライダが長孔８ｂに対して大きい傾斜を取ることができ、不使用時に把手４ａ，４ｂを近接させることができる。
【００４８】
（第２実施形態）
図９は、本発明の第２実施形態にかかるウォーターポンププライヤーの組立て分解斜視図である。本実施形態にかかるウォーターポンププライヤー２１は、左右一対に構成された第１ステー２２ａと第２ステー２２ｂを中間部分で枢着し、開閉自在に構成したものであり、いわゆる溝型のウォーターポンププライヤーである。以下、本実施形態にかかるウォーターポンププライヤー２１について、第１実施形態との相違点を中心に説明する。
【００４９】
第１ステー２２ａには、枢着部が挿通する長孔２８が設けられている。長穴２８には、スライダ２６が配置されており、一体的に構成されている第２ステー２２ｂと供に長穴２８に沿って移動することで、ステー２２ａ，２２ｂの狭持部２５ａ，２５ｂの開口幅を変化させることができる。
【００５０】
長孔２８は概ね均等幅に構成されており、円弧状の凹溝２９が形成されている。第１のステー２２ａには、当該凹溝２９に対応する円弧状のリブ２９ａが設けられており、リブ２９ａに対応させる凹溝２９を選択することで、スライダの位置を固定し、狭持部２５ａ，２５ｂの開口幅を変更することができる。なお、第２のステー２２ｂを狭持部２５ａ，２５ｂをより広く開口する方向に回動させた場合、リブ２９ａが凹溝２９から離脱してスライダ２６を移動させることができるようになり、狭持部の開口幅を切り替えることができるように構成されている。
【００５１】
スライダ２６は、ボルト２３ａに対して枢結軸を中心に回転可能に設けられた厚み方向に扁平な小片で構成されている。スライダ２６は、図９に示すように枢着ボルト２３ａの足に挿通され、第２ステー２２ｂの枢結孔２３ｄを通してナット２３ｂより固定されて、長穴２８内に配置される。スライダ２６の厚み寸法は、第１ステー２ａの厚みとほぼ同じに構成される。なお、スライダ２６は、第２ステー２ｂに対してその傾斜角度は制限されており、回転範囲は規制されている。
【００５２】
また、スライダ２６と第２ステー２２ｂの間には、リング状バネ板３１が配置されており、スライダ６を図９に示すように矢印９０側、すなわち狭持部２５ａ，２５ｂの開口を狭めようとする方向と反発方向に付勢する。
【００５３】
リブ２９ａと凹溝２９雅兄合している状態では、スライダ２６は長孔２８内で固定されており、さらにスライダ２６と第２ステー２２ｂはリング状バネ板３１により、狭持部２５ａ，２５ｂを開口させる方向に付勢されているため、把手４ａ，４ｂを把持しない状態であっても、狭持部５ａ，５ｂが開口する方向に維持される。
【００５４】
長孔２８の把手部２４ａ側の一端部分、すなわち、狭持部２５ａ，２５ｂの口開き幅が大きくなる側の端部には、狭持部２５ａ，２５ｂ側の側壁が凹状に形成され、他の部分よりも幅が広く構成された幅広部３０が設けられている。幅広部３０は、本発明における傾斜許容部に相当する。
【００５５】
幅広部３０は、長孔２８に収容されるスライダ２６が他の部分に位置するときよりも長孔２８に対して大きい傾斜を許容することができるようにするためのものである。すなわち、スライダ２６が幅広部３０に位置するときは、スライダ２６が長孔２８の長手方向に対して傾斜した状態となる。したがって、当該幅広部３０にスライダ２６が位置するときは、スライダ２６の傾きが幅広部３０内で吸収されて、リング状バネ板３１による付勢による第２ステー２２ｂが開口状態とならないようにすることができる。なお、幅広部３０は、長孔２８の他の領域間とのスライダ２６の動きをスムーズにするために、弧状をなしていることが好ましい。
【００５６】
次に本実施形態にかかるウォーターポンププライヤーが使用状態から不使用状態になり、一対のステー２２ａ，２２ｂを閉じた状態とするための動作について説明する。
【００５７】
図１０は、本実施形態にかかるウォーターポンププライヤーの使用時におけるスライダと長孔の関係を示す図である。上記のように、ウォーターポンププライヤーの使用時は、スライダ２６が長穴の幅広部３０以外の位置に存在する。この状態では、スライダ２６は、長孔２８の伸張方向Ｃにほぼ沿った状態となっている。また、リング状バネ板３１により、スライダ２６は、第２ステー２２ｂに対して、狭持部２５ａ，２５ｂが開口する側に付勢されているため、開口状態となっている。
【００５８】
図１１は、本実施形態にかかるウォーターポンププライヤーのスライダが幅広部に存在するときの状態を示す説明図である。スライダ２６が幅広部３０に位置する場合は、図１１に示す通り、この状態では、スライダ２６は、長孔２８の伸張方向Ｃに対して傾斜した状態となっており、スライダ２６が他の部分に固定されている状態よりも長孔２８に対して大きい傾斜を取ることができる。したがって、スライダ２６が長孔２８の長手方向に対して大きく傾斜した状態となる。これにより、スライダと接続する第２ステー２２ｂは、閉口方向に傾斜することが可能となり、ステー２２ａ，２２ｂの把手２４ａ，２４ｂを閉じた状態とすることができる。また、本実施形態における幅広部３０は、長孔の狭持部の開き幅が大きくなる側の端部に設けられているため、ステー２２ａ，２２ｂの把手２４ａ，２４ｂが近接する状態となり、不使用時にプライヤーをスリム化することができる。
【００５９】
図１２は、本発明の第２実施形態の変形例にかかるウォーターポンププライヤーのスライダが幅広部に存在するときの状態を示す説明図である。この変形例では、長穴２８ａは、全長にわたり同じ幅寸法で構成されており、また、一端側で屈曲して設けられている。長穴２８ａの当該屈曲部３０ａが本発明の傾斜許容部として機能するものである。この構成によっても、長孔２８ａの屈曲部３０ａにスライダ２６を移動させたときに、スライダ２６が他の部分に存在するときも、長孔２８ａに対して大きい傾斜を取ることができ、不使用時に把手２４ａ，２４ｂを近接させることができる。
【００６０】
以上説明したように、本実施形態にかかるウォーターポンププライヤーによれば、長穴に挿入されたスライダの向きを変更することによって、使用時及び不使用時における第２ステーの向きを変更することができる。したがって、狭持部を閉じた状態に維持したとしても。スライダに付勢力を与えるリング状バネ板１１を劣化させることがない。またこの手段によれば、先端側の口開き幅を変更することができるタイプのプライヤーにも適用することが可能である。すなわち、第１のステーに設けられている長孔に沿って移動可能なスライダに対して開口するように付勢されている第２のステーは、通常時は開口状態とすることができる。一方で、スライダの傾斜を許容する傾斜許容部が長孔に設けられているため、当該位置にスライダを移動させることで、通常時の第２のステーとスライダとの位置関係を維持したまま、前記傾斜許容部内でスライダが第１のステーに対して相対的に傾斜することにより、第２のステーの開口分を吸収することができる。したがって、スライダを傾斜許容部内に移動させることで前記第１及び第２のステーを閉じた状態に維持することができる。
【００６１】
なお、本発明は上記実施形態に限定されるものではなく、その他種々の態様で実施可能である。
【符号の説明】
【００６２】
１，１ａ，１ｂ，２１，２１ａ  ウォーターポンププライヤー
２ａ，２２ａ  第１ステー
２ｂ，２２ｂ  第２ステー
３  枢着部
３ａ，２３ａ  枢着ボルト
３ｂ  ナット
３ｄ  枢結孔
４ａ，４ｂ，２４ａ，２４ｂ  把手
５ａ，５ｂ  狭持部
５ｃ  挟持面
６  スライダ
６ａ  係合凸部
７ａ，７ｂ  段差
８，８ａ，８ｂ，２８，２８ａ  長孔
９  係止用凹部
１０，１０ａ，１０ｂ，３０  幅広部
１１  リング状板バネ
２９  凹溝
２９ａ  円弧状リブ
３０ａ  屈曲部
【図１】
2015093357.tif 000003
【図２】
2015093357.tif 000004
【図３】
2015093357.tif 000005
【図４】
2015093357.tif 000006
【図５】
2015093357.tif 000007
【図６】
2015093357.tif 000008
【図７】
2015093357.tif 000009
【図８】
2015093357.tif 000010
【図９】
2015093357.tif 000011
【図１０】
2015093357.tif 000012
【図１１】
2015093357.tif 000013
【図１２】
2015093357.tif 000014